(57)【要約】【課題】  本発明は、ユーザーが所望するデータを、手間なく、簡単に、通信相手装置との間で転送することができるデータ送信装置、データ受信装置およびデータ送受信装置を提供することを目的とする。【解決手段】  本発明のデータ送信装置（１１〜１９、２７）は、検出部（１８、１９）と、パターン判別部（１１）と、送信データ判別部（１１）と、送信部（１８）とを備える。検出部は、ユーザーによる装置の持ち方を検出する。パターン判別部は、検出部によって検出された検出結果に基づいて、その検出結果のパターンを判別する。送信データ判別部は、パターン判別部によって判別された検出結果のパターンに対応した送信すべきデータを判別する。送信部は、送信データ判別部によって判別された送信すべきデータを他の装置に送信する。【選択図】  図１
2010130449.tif 000002
【特許請求の範囲】
【請求項１】
ユーザーによる装置の持ち方を検出する検出部と、
前記検出部によって検出された検出結果に基づいて、前記検出結果のパターンを判別するパターン判別部と、
前記パターン判別部によって判別された前記検出結果のパターンに対応した送信すべきデータを判別する送信データ判別部と、
前記送信データ判別部によって判別された前記送信すべきデータを他の装置に送信する送信部と
を備えることを特徴とするデータ送信装置。
【請求項２】
装置の載置の状態を検出する検出部と、
前記検出部によって検出された検出結果に基づいて、前記検出結果のパターンを判別するパターン判別部と、
前記パターン判別部によって判別された前記検出結果のパターンに対応した送信すべきデータを判別する送信データ判別部と、
前記送信データ判別部によって判別された前記送信すべきデータを他の装置に送信する送信部と
を備えることを特徴とするデータ送信装置。
【請求項３】
請求項１または請求項２に記載のデータ送信装置において、
前記検出結果のパターン毎に前記送信すべきデータの種類を予め設定する設定部をさらに備え、
前記送信データ判別部は、前記パターンに対応した前記設定部によって設定された前記送信すべきデータの種類を判別し、
前記送信部は、前記送信データ判別部によって判別された前記データの種類に一致するデータを他の装置に送信する
ことを特徴とするデータ送信装置。
【請求項４】
請求項１または請求項２に記載のデータ送信装置において、
前記検出結果のパターン毎に前記送信すべきデータの条件を予め設定する設定部をさらに備え、
前記送信データ判別部は、前記パターンに対応した前記設定部によって設定された前記送信すべきデータの条件を判別し、
前記送信部は、前記送信データ判別部によって判別された前記データの条件に一致するデータを他の装置に送信する
ことを特徴とするデータ送信装置。
【請求項５】
請求項１〜請求項４の何れか一項に記載のデータ送信装置において、
前記検出部はタッチセンサを含み、
前記パターン判別部は、前記タッチセンサから出力される接触箇所を示す情報に基づき前記パターンを判別する
ことを特徴とするデータ送信装置。
【請求項６】
請求項１〜請求項４の何れか一項に記載のデータ送信装置において、
前記検出部は複数のタッチセンサを含み、
前記パターン判別部は、前記複数のタッチセンサから出力される接触箇所を示す情報に基づき前記パターンを判別する
ことを特徴とするデータ送信装置。
【請求項７】
請求項１〜請求項４の何れか一項に記載のデータ送信装置において、
前記検出部は傾斜センサを含み、
前記パターン判別部は、前記傾斜センサから出力される装置の傾き方を示す情報に基づき前記パターンを判別する
ことを特徴とするデータ送信装置。
【請求項８】
請求項１〜請求項４の何れか一項に記載のデータ送信装置において、
前記検出部は複数のアンテナを含み、
前記パターン判別部は、前記複数のアンテナのうち電波を受信したアンテナを特定するアンテナ識別情報に基づき前記パターンを判別する
ことを特徴とするデータ送信装置。
【請求項９】
ユーザーによる装置の持ち方を検出する検出部と、
前記検出部によって検出された検出結果に基づいて、前記検出結果のパターンを判別するパターン判別部と、
前記パターン判別部によって判別された前記検出結果のパターンに対応した受信すべきデータを判別する受信データ判別部と、
前記受信データ判別部によって判別された前記受信すべきデータを他の装置から受信する受信部と
を備えることを特徴とするデータ受信装置。
【請求項１０】
装置の載置の状態を検出する検出部と、
前記検出部によって検出された検出結果に基づいて、前記検出結果のパターンを判別するパターン判別部と、
前記パターン判別部によって判別された前記検出結果のパターンに対応した受信すべきデータを判別する受信データ判別部と、
前記受信データ判別部によって判別された前記受信すべきデータを他の装置から受信する受信部と
を備えることを特徴とするデータ受信装置。
【請求項１１】
請求項９または請求項１０に記載のデータ受信装置において、
前記検出結果のパターン毎に前記受信すべきデータの種類を予め設定する設定部をさらに備え、
前記受信データ判別部は、前記パターンに対応した前記設定部によって設定された前記受信すべきデータの種類を判別し、
前記受信部は、前記受信データ判別部によって判別された前記データの種類に一致するデータを他の装置から受信する
ことを特徴とするデータ受信装置。
【請求項１２】
請求項９または請求項１０に記載のデータ受信装置において、
前記検出結果のパターン毎に前記受信すべきデータの条件を予め設定する設定部をさらに備え、
前記受信データ判別部は、前記パターンに対応した前記設定部によって設定された前記受信すべきデータの条件を判別し、
前記受信部は、前記受信データ判別部によって判別された前記データの条件に一致するデータを他の装置から受信する
ことを特徴とするデータ受信装置。
【請求項１３】
請求項９〜請求項１２の何れか一項に記載のデータ受信装置において、
前記検出部はタッチセンサを含み、
前記パターン判別部は、前記タッチセンサから出力される接触箇所を示す情報に基づき前記パターンを判別する
ことを特徴とするデータ受信装置。
【請求項１４】
請求項９〜請求項１２の何れか一項に記載のデータ受信装置において、
前記検出部は複数のタッチセンサを含み、
前記パターン判別部は、前記複数のタッチセンサから出力される接触箇所を示す情報に基づき前記パターンを判別する
ことを特徴とするデータ受信装置。
【請求項１５】
請求項９〜請求項１２の何れか一項に記載のデータ受信装置において、
前記検出部は傾斜センサを含み、
前記パターン判別部は、前記傾斜センサから出力される装置の傾き方を示す情報に基づき前記パターンを判別する
ことを特徴とするデータ受信装置。
【請求項１６】
請求項９〜請求項１２の何れか一項に記載のデータ受信装置において、
前記検出部は複数のアンテナを含み、
前記パターン判別部は、前記複数のアンテナのうち電波を受信したアンテナを特定するアンテナ識別情報に基づき前記パターンを判別する
ことを特徴とするデータ受信装置。
【請求項１７】
請求項１〜請求項８の何れか一項に記載のデータ送信装置と、
請求項９〜請求項１６の何れか一項に記載のデータ受信装置と
を備えることを特徴とするデータ送受信装置。
【発明の詳細な説明】
【技術分野】
【０００１】
本発明は、通信相手装置との間でデータ転送（データのやりとり）を行う装置について、特に、搭載されたセンサの出力に基づいてデータ転送を行うデータ送信装置、データ受信装置およびデータ送受信装置に関する。
【背景技術】
【０００２】
従来、通信相手装置との間で各種のデータを転送するデータ送受信装置が知られている。その一例として、例えば、特許文献１には、ＩＣカードとの間で、商取引に関する履歴情報などのカードの使用履歴データを転送するデータ送受信装置が開示されている。
【特許文献１】特許第３９１６０７０号公報
【発明の開示】
【発明が解決しようとする課題】
【０００３】
このような従来のデータ送受信装置では、データ転送を行うときには、ユーザーが転送したいと思うデータ、例えば、静止画像データのファイルを、複数の中から探し出した上で、その転送を指示する必要があった。そのため、静止画像データのファイルが沢山ある場合には手間が掛かってしまい、データ転送を簡単には行うことができなかった。
【０００４】
本発明は、上記従来技術の課題を解決するためのものである。本発明は、ユーザーが所望するデータを、手間なく、簡単に、通信相手装置との間で転送することができるデータ送信装置、データ受信装置およびデータ送受信装置を提供することを目的とする。
【課題を解決するための手段】
【０００５】
第１の発明のデータ送信装置は、検出部と、パターン判別部と、送信データ判別部と、送信部とを備える。検出部は、ユーザーによる装置の持ち方を検出する。パターン判別部は、検出部によって検出された検出結果に基づいて、その検出結果のパターンを判別する。送信データ判別部は、パターン判別部によって判別された検出結果のパターンに対応した送信すべきデータを判別する。送信部は、送信データ判別部によって判別された送信すべきデータを他の装置に送信する。
【０００６】
第２の発明のデータ送信装置は、検出部と、パターン判別部と、送信データ判別部と、送信部とを備える。検出部は、装置の載置の状態を検出する。パターン判別部は、検出部によって検出された検出結果に基づいて、その検出結果のパターンを判別する。送信データ判別部は、パターン判別部によって判別された検出結果のパターンに対応した送信すべきデータを判別する。送信部は、送信データ判別部によって判別された送信すべきデータを他の装置に送信する。
【０００７】
第３の発明は、第１または第２の発明において、検出結果のパターン毎に送信すべきデータの種類を予め設定する設定部をさらに備え、送信データ判別部は、検出結果のパターンに対応した設定部によって設定された送信すべきデータの種類を判別し、送信部は、送信データ判別部によって判別されたデータの種類に一致するデータを他の装置に送信する。
【０００８】
第４の発明は、第１または第２の発明において、検出結果のパターン毎に送信すべきデータの条件を予め設定する設定部をさらに備え、送信データ判別部は、検出結果のパターンに対応した設定部によって設定された送信すべきデータの条件を判別し、送信部は、送信データ判別部によって判別されたデータの条件に一致するデータを他の装置に送信する。
【０００９】
第５の発明は、第１〜第４の発明の何れか一の発明において、検出部はタッチセンサを含み、パターン判別部は、タッチセンサから出力される接触箇所を示す情報に基づき検出結果のパターンを判別する。
【００１０】
第６の発明は、第１〜第４の発明の何れか一の発明において、検出部は複数のタッチセンサを含み、パターン判別部は、複数のタッチセンサから出力される接触箇所を示す情報に基づき検出結果のパターンを判別する。
【００１１】
第７の発明は、第１〜第４の発明の何れか一の発明において、検出部は傾斜センサを含み、パターン判別部は、傾斜センサから出力される装置の傾き方を示す情報に基づき検出結果のパターンを判別する。
【００１２】
第８の発明は、第１〜第４の発明の何れか一の発明において、検出部は複数のアンテナを含み、パターン判別部は、複数のアンテナのうち電波を受信したアンテナを特定するアンテナ識別情報に基づき検出結果のパターンを判別する。
【００１３】
第９の発明のデータ受信装置は、検出部と、パターン判別部と、受信データ判別部と、受信部とを備える。検出部は、ユーザーによる装置の持ち方を検出する。パターン判別部は、検出部によって検出された検出結果に基づいて、その検出結果のパターンを判別する。受信データ判別部は、パターン判別部によって判別された検出結果のパターンに対応した受信すべきデータを判別する。受信部は、受信データ判別部によって判別された受信すべきデータを他の装置から受信する。
【００１４】
第１０の発明のデータ受信装置は、検出部と、パターン判別部と、受信データ判別部と、受信部とを備える。検出部は、装置の載置の状態を検出する。パターン判別部は、検出部によって検出された検出結果に基づいて、その検出結果のパターンを判別する。受信データ判別部は、パターン判別部によって判別された検出結果のパターンに対応した受信すべきデータを判別する。受信部は、受信データ判別部によって判別された受信すべきデータを他の装置から受信する。
【００１５】
第１１の発明は、第９または第１０の発明において、検出結果のパターン毎に受信すべきデータの種類を予め設定する設定部をさらに備え、受信データ判別部は、検出結果のパターンに対応した設定部によって設定された受信すべきデータの種類を判別し、受信部は、受信データ判別部によって判別されたデータの種類に一致するデータを他の装置から受信する。
【００１６】
第１２の発明は、第９または第１０の発明において、検出結果のパターン毎に受信すべきデータの条件を予め設定する設定部をさらに備え、受信データ判別部は、検出結果のパターンに対応した設定部によって設定された受信すべきデータの条件を判別し、受信部は、受信データ判別部によって判別されたデータの条件に一致するデータを他の装置から受信する。
【００１７】
第１３の発明は、第９〜第１２の発明の何れか一の発明において、検出部はタッチセンサを含み、パターン判別部は、タッチセンサから出力される接触箇所を示す情報に基づき検出結果のパターンを判別する。
【００１８】
第１４の発明は、第９〜第１２の発明の何れか一の発明において、検出部は複数のタッチセンサを含み、パターン判別部は、複数のタッチセンサから出力される接触箇所を示す情報に基づき検出結果のパターンを判別する。
【００１９】
第１５の発明は、第９〜第１２の発明の何れか一の発明において、検出部は傾斜センサを含み、パターン判別部は、傾斜センサから出力される装置の傾き方を示す情報に基づき検出結果のパターンを判別する。
【００２０】
第１６の発明は、第９〜第１２の発明の何れか一の発明において、検出部は複数のアンテナを含み、パターン判別部は、複数のアンテナのうち電波を受信したアンテナを特定するアンテナ識別情報に基づき検出結果のパターンを判別する。
【００２１】
第１７の発明のデータ送受信装置は、第１〜第８の発明の何れか一の発明のデータ送信装置と、第９〜第１６の発明の何れか一の発明のデータ受信装置とを備える。
【発明の効果】
【００２２】
本発明では、ユーザーによる装置の持ち方を検出して、その検出結果（装置の持ち方）のパターンを判別する。そして、判別された検出結果（装置の持ち方）のパターンに対応した送信すべきデータを判別して、その送信すべきデータを他の装置に送信する。
【００２３】
また、本発明では、装置の載置の状態を検出して、その検出結果（装置の載置状態）のパターンを判別する。そして、判別された検出結果（装置の載置状態）のパターンに対応した送信すべきデータを判別して、その送信すべきデータを他の装置に送信する。
【００２４】
また、本発明では、ユーザーによる装置の持ち方を検出して、その検出結果（装置の持ち方）のパターンを判別する。そして、判別された検出結果（装置の持ち方）のパターンに対応した受信すべきデータを判別して、その受信すべきデータを他の装置から受信する。
【００２５】
また、本発明では、装置の載置の状態を検出して、その検出結果（装置の載置状態）のパターンを判別する。そして、判別された検出結果（装置の載置状態）のパターンに対応した受信すべきデータを判別して、その受信すべきデータを他の装置から受信する。
【００２６】
即ち、本発明では、ユーザーによる装置の持ち方又は装置の載置状態を検出してそのパターンを判別し、そして、判別されたパターンに対応したデータを他の装置との間で転送する。
【００２７】
従って、本発明を利用すれば、ユーザーが所望するデータを、手間なく、簡単に、通信相手装置との間で転送することができる。
【発明を実施するための最良の形態】
【００２８】
（第１実施形態）
以下、本発明の第１実施形態を説明する。第１実施形態は、デジタルカメラの実施形態である。
【００２９】
図１は、デジタルカメラの構成を示すブロック図である。
【００３０】
デジタルカメラの各ブロックの動作は、制御回路１１によって統括制御される。制御回路１１は、所定のプログラムを実行することにより、デジタルカメラが行う撮影などの各種の動作を制御する。なお、制御回路１１の実行するプログラムやプログラムの実行に必要となるデータは、不図示のＲＯＭに予め格納される。
【００３１】
バッファメモリ１２は、画像データや音声データの一時記憶領域などとして使用される。このバッファメモリ１２は、ＳＤＲＡＭ等によって構成される。バッファメモリ１２は、バス１３を介して制御回路１１と接続される。
【００３２】
操作部材１４は、モードダイヤル、撮影ボタン、メニューボタン、ＯＫボタン、十字キー、キャンセルキーなどを含む。操作部材１４は、撮影者等のユーザーが行う部材操作の内容に応じた操作信号を制御回路１１へ送る。制御回路１１は、その操作信号に基づいて、デジタルカメラの各部を制御し、例えば、レンズ駆動制御、撮影動作制御などを行う。
【００３３】
なお、モードダイヤルは、静止画撮影モード、動画撮影モード、画像再生モード、データ転送モードなどのデジタルカメラの動作モードを選択するための操作部材である。
【００３４】
また、撮影ボタンは、撮影を指示するための操作部材である。撮影ボタンは、前記の動画撮影モードにおいては、動画撮影の開始（スタート）／停止（ストップ）ボタンとして機能し、また静止画撮影モードにおいては、通常のレリーズボタンとして機能する。この撮影ボタンは、半押し時にＯＮとなるスイッチのＳＷ１と、全押し時にＯＮとなるスイッチのＳＷ２とを有する二段ストローク式のスイッチで構成される。
【００３５】
また、メニューボタンは、表示装置１５の画面上にメニュー画面を表示させる指示を行うための操作部材である。
【００３６】
また、ＯＫボタンは、メニュー画面などにおいて、選択した項目の内容の確定や実行などを指示するための操作部材である。
【００３７】
また、十字キーは、例えば、メニュー画面などにおいては、その画面から所望の項目を選択するために、画面上に表示されるカーソルを、上、下、左、右の各方向へ移動させる指示を行うための操作部材である。
【００３８】
また、キャンセルキーは、十字キーによる項目の選択を取り消したり、操作の状態を１つ前に戻すなどの指示を行うための操作部材である。
【００３９】
表示装置１５は、カラー表示可能なＬＣＤディスプレイ等で構成されている。
【００４０】
表示装置１５は、撮影時には、画角等の確認用の電子ファインダーとして利用することができる。また、表示装置１５は、ユーザインターフェース用の表示画面としても利用される。その場合、表示装置１５には、必要に応じて、メニューや選択項目、設定内容などの各種の情報が表示される。
【００４１】
記録インターフェース（Ｉ／Ｆ）１６には、記録媒体１７を接続するためのコネクタが形成されている。記録Ｉ／Ｆ１６は、そのコネクタに接続された記録媒体１７にアクセスして、各種データの書き込みや読み出しを行う。
【００４２】
制御回路１１は、この記録Ｉ／Ｆ１６を介して、デジタルカメラが撮影した動画や静止画の画像データなどを記録媒体１７へ記録する。また、制御回路１１は、記録Ｉ／Ｆ１６を介して、それら画像データの他、音声データ、音楽データ、電子メールデータなどの各種データを記録媒体１７から取得する。
【００４３】
なお、記録媒体１７は、半導体メモリを内蔵したメモリカードや、小型のハードディスクなどである。
【００４４】
無線通信部１８は、ＢｌｕｅＴｏｏｔｈ、ＩｒＤＡ、無線ＬＡＮなどの無線通信規格に基づく通信機能を有した回路である。特に、非接触ＩＣカードやＲＦＩＤ（Radio Frequency-Identification）などのように、微弱な電波を利用して１〜１００ｃｍ程度の距離内で通信を行う近距離無線通信機能を有している。
【００４５】
制御回路１１は、この無線通信部１８を介して、画像データを含む各種のデータを外部の装置との間で転送する。
【００４６】
センサ部１９は、タッチセンサや傾斜センサなどの各種のセンサを含む。制御回路１１は、このセンサ部１９を駆動して、ユーザー等のタッチセンサへの接触を検出すると共に、タッチセンサから出力される接触箇所を示す情報を取得する。また、制御回路１１は、センサ部１９を駆動して、傾斜センサから出力されるカメラの傾き方を示す傾斜角度情報を取得する。
【００４７】
次に、デジタルカメラの撮影に係るブロックについて説明する。
【００４８】
モードダイヤルの操作によって動画又は静止画撮影モードが選択されると、ＣＣＤ固体撮像素子（以下、単に、ＣＣＤと呼ぶ。）２０を含む撮像部に電源が供給される。これにより、デジタルカメラは、撮影が可能な状態となる。
【００４９】
レンズユニット２１は、撮影レンズと絞り兼用シャッターとを含む光学ユニットである。レンズユニット２１は、制御回路１１により制御されるレンズ駆動回路２２によって駆動され、ズーム制御、フォーカス制御及びアイリス制御が行われる。
【００５０】
レンズユニット２１を通過した被写体光は、ＣＣＤ２０の受光面に結像される。なお、ＣＣＤ２０の受光面には、多数のフォトダイオード（受光素子）が二次元状に配列されると共に、各フォトダイオードに対応して、赤（Ｒ）、緑（Ｇ）、青（Ｂ）の原色カラーフィルタが所定の配列構造（ベイヤー、Ｇストライプなど）で配置されている。これにより、ＣＣＤ２０が出力する信号には、Ｒ、Ｇ、Ｂの３種類の成分が含まれることになる。また、ＣＣＤ２０は、各フォトダイオードの電荷蓄積時間を制御する電子シャッター機能を有している。制御回路１１は、タイミングジェネレータ（ＴＧ）２３を介して、ＣＣＤ２０の電荷蓄積時間の制御を行う。
【００５１】
なお、本実施形態のデジタルカメラでは、ＣＣＤ２０に代えて、ＭＯＳ型など他の方式の撮像素子を用いることもできる。
【００５２】
ＣＣＤ２０の受光面に形成された被写体像は、各フォトダイオードによって入射光量に応じた量の信号電荷に変換されて蓄積される。ここで、ＣＣＤ２０の各フォトダイオードに蓄積された信号電荷を画像信号（信号電荷に応じた電圧信号）として読み出すには、制御回路１１は、ＴＧ２３を駆動する。この駆動により、各フォトダイオードに蓄積された信号電荷は、ＴＧ２３から与えられる駆動パルスに基づき、所定のフレームレート（例えば、３０ｆｐｓなど）で、画像信号として順次読み出される。
【００５３】
ＣＣＤ２０から順次出力される画像信号（ＲＧＢ信号）は、信号処理回路２４により、ＣＤＳ（相関二重サンプリング）、増幅（ゲイン調整）、Ａ／Ｄ変換などの信号処理が施された後に、デジタル信号の画像データとして画像入力回路２５へ出力される。
【００５４】
なお、信号処理回路２４は、そのゲイン調整の調整量（増幅率）を制御回路１１からの指令に基づき設定し、それによってＩＳＯ感度に相当する撮影感度の調整を行う。
【００５５】
また、信号処理回路２４は、ＴＧ２３から与えられる駆動パルスに基づいて前記動作を行う。
【００５６】
画像入力回路２５は、入力されるデジタル信号のＲＧＢの画像データを、制御回路１１からの指令に従い、画像処理回路２６、ＡＥ／ＡＷＢ回路２８、ＡＦ回路２９へ出力する。
【００５７】
画像入力回路２５を介して画像処理回路２６に入力されるＲＧＢの画像データは、画像処理回路２６において、輝度信号（Ｙ信号）及び色差信号（Ｃｒ，Ｃｂ信号又はＵＶ信号）の画像データに変換される。また、変換後の画像データには、ガンマ補正、輪郭補正、ホワイトバランス補正等の所定の画像処理が画像処理回路２６によって施される。そして、その画像処理後の画像データは、画像処理回路２６によりバッファメモリ１２へ出力される。なお、このような画像処理回路２６での輝度／色差信号変換を含む画像処理は、制御回路１１の指令に従って行われる。
【００５８】
このようにして、１フレーム分の画像データが、順次バッファメモリ１２へ格納されて取得される。
【００５９】
ここで、画像データを表示装置１５へモニタ出力する場合、制御回路１１は、前述のように格納される画像データをバッファメモリ１２から順次読み出し、それをバス１３を介して表示制御回路２７へ出力する。そして、表示制御回路２７は、入力された画像データを表示用の所定方式の信号（例えば、ＮＴＳＣ方式の複合映像信号）に変換して表示装置１５へ出力する。
【００６０】
このように、バッファメモリ１２の画像データを基に生成される映像信号が表示装置１５へ出力されることで、被写体の映像がリアルタイムに表示装置１５の画面に表示される。ユーザーは、この表示により撮影画角等を確認することができる（ライブビュー機能）。
【００６１】
撮影ボタンが半押しされてＳＷ１がＯＮとなると、デジタルカメラは、ＡＥ及びＡＦ動作を開始する。
【００６２】
具体的には、制御回路１１の指令に従い、ＡＥ／ＡＷＢ回路２８及びＡＦ回路２９が、ＣＣＤ２０から出力され画像入力回路２５を介して入力されるＲＧＢの画像データを基に、以下のようにＡＥ及びＡＦ動作を行う。
【００６３】
ＡＥ／ＡＷＢ回路２８は、入力される画像データの画面を複数のエリア（例えば、８×８）に分割し、分割エリアごとにＲＧＢ信号を積算すると、その積算値を制御回路１１に提供する。制御回路１１は、ＡＥ／ＡＷＢ回路２８から得た積算値に基づいて被写体の明るさ（被写体輝度）を検出すると共に、撮影の露出値（ＥＶ値）を算出する（ＡＥ演算）。また、制御回路１１は、算出したＥＶ値と所定のプログラム線図（不図示のＲＯＭに予め格納される）とに基づき、絞り値やシャッタースピードなどの露出条件を決定する。そして、制御回路１１は、その露出条件の下で、ＣＣＤ２０の電子シャッター機能及びレンズユニット２１のアイリス、信号処理回路２４のゲインなどを制御することで適正な露光量を得る。
【００６４】
また、ＡＥ／ＡＷＢ回路２８は、分割エリアごとにＲＧＢ信号の色別の平均積算値を算出し、その算出結果を制御回路１１に提供する。制御回路１１は、算出結果であるＲの積算値、Ｂの積算値、Ｇの積算値を得て、Ｒ／Ｇ及びＢ／Ｇの比を求めると共に、そのＲ／Ｇ及びＢ／Ｇの比の値と上述のＡＥ演算によるＥＶ値とに基づいてシーン判別（光源種の判別）を行う。そして、制御回路１１は、判別したシーンに対応する所定のホワイトバランス調整値に基づき、各比の値がおよそ１（つまり、１画面においてＲＧＢの積算比率がＲ：Ｇ：Ｂ≒１：１：１）となるようにホワイトバランス調整回路のアンプゲインを制御して各色チャネルの信号を補正する。
【００６５】
なお、シーン判別においては、上述したＲ／Ｇ及びＢ／Ｇの比の値に代えて、色差信号のＣｒ（Ｒ−Ｙ）及びＣｂ（Ｂ−Ｙ）の値などを用いてもよい。
【００６６】
デジタルカメラが行うＡＦ制御には、例えば、画像データのＧ信号の高周波成分が極大になるように不図示のフォーカシングレンズ（撮影レンズを構成するレンズ光学系のうちのフォーカス調整用の移動レンズ）を移動させるコントラストＡＦが適用される。
【００６７】
よって、ＡＦ回路２９は、入力される画像データのＧ信号の高周波成分のみを通過させるハイパスフィルタ処理、絶対値化処理、画面内（例えば、画面中央部）に予め設定されているフォーカス対象エリア内の信号を切り出すＡＦエリア抽出処理を実行する。そして、ＡＦ回路２９は、それら処理の実行により抽出したＡＦエリア内の信号の絶対値を積算すると、その積算値を制御回路１１に提供する。制御回路１１は、レンズ駆動回路２２を駆動して、不図示のフォーカシングレンズを移動させながら、複数のＡＦ検出ポイントで焦点評価値（ＡＦ評価値）を演算すると共に、そのＡＦ評価値が極大となるレンズ位置を合焦位置として決定する。
【００６８】
このようなＡＦ制御により、フォーカシングレンズ（不図示）の焦点調節が行われる。
【００６９】
なお、ＡＦ評価値の演算には、画像データのＧ信号を利用する代わりに、輝度信号（Ｙ信号）を利用してもよい。
【００７０】
また、デジタルカメラが行うＡＦ制御には、このような公知のコントラスト方式のＡＦに加えて、公知の瞳分割方式による位相差ＡＦを適用してもよい。もちろん、コントラスト方式のＡＦに代えて位相差ＡＦのみを適用してもよい。
【００７１】
撮影ボタンが全押しされてＳＷ２がＯＮとなると、デジタルカメラは、撮影動作を開始する。
【００７２】
具体的には、制御回路１１が、静止画撮影時においては、全画素読み出しで１フレーム分の画像が取得されるようにＴＧ２３を駆動する。これによりＣＣＤ２０は、１フレーム分の画像信号を出力する。一方、動画撮影時においては、制御回路１１が、所定のフレームレートで画像が順次取得されるようにＴＧ２３を駆動する。これによりＣＣＤ２０は、画像信号をそのフレームレートに応じて順次出力する。
【００７３】
ＣＣＤ２０から出力される画像信号は、上述したように画像処理回路２６によって輝度／色差信号変換を含む画像処理が施された後に、バッファメモリ１２へ格納される。
【００７４】
バッファメモリ１２に格納された輝度／色差信号の画像データは、圧縮／伸張回路３０により所定の形式に従って圧縮処理された後、記録Ｉ／Ｆ１６を介して記録媒体１７へ記録される。静止画の撮影時には、バッファメモリ１２の画像データは、例えば、ＪＰＥＧ（Joint Photographic Experts Group）形式等に従って圧縮されて記録される。一方、動画の撮影時には、画像データは、例えば、ＭＰＥＧ（Moving Picture Experts Group）形式やモーションＪＰＥＧ形式等に従って圧縮されて記録される。但し、デジタルカメラが非圧縮記録モードに設定された場合には、バッファメモリ１２の画像データは、圧縮処理されずに非圧縮のまま記録媒体１７へ記録される。
【００７５】
なお、画像処理回路２６での画像処理および圧縮／伸張回路３０での圧縮処理は、制御回路１１の指令に従って行われる。また、圧縮／伸張回路３０による圧縮処理後の画像データは、制御回路１１によって、記録Ｉ／Ｆ１６を介し記録媒体１７へ記録される。
【００７６】
デジタルカメラは、動画撮影中には、所謂「山登り方式」の連続的なＡＦ（コンティニアスＡＦ）動作を行う。つまり、不図示のフォーカシングレンズを光軸に沿って前後方向に微小移動させて、焦点評価値（ＡＦ評価値）の増減をチェックしながら、ＡＦ評価値が極大となる点まで、徐々にフォーカシングレンズ（不図示）を移動させる。
【００７７】
また、動画撮影時には、デジタルカメラでは、マイク３１により音声が検出され、その検出信号（音声信号）が、Ａ／Ｄ変換器３２によりデジタル信号（音声データ）に変換されて、音声信号処理回路３３へ出力される。ここで、音声信号処理回路３３は、制御回路１１の指令に従って、入力の音声データを所定の形式に変換する。このようにして生成された音声データは、音声信号処理回路３３によりバッファメモリ１２へ格納される。そして、音声データは、バッファメモリ１２の画像データと共に圧縮／伸張回路３０で圧縮処理された後に、記録Ｉ／Ｆ１６を介して記録媒体１７へ記録される。
【００７８】
また、動画撮影中に、もう一度、撮影ボタンが半押し又は全押しされてＳＷ１がＯＮとなると、デジタルカメラは、動画の撮影動作を停止する。
【００７９】
また、モードダイヤルの操作によって画像再生モードが選択されると、デジタルカメラでは、制御回路１１が、記録Ｉ／Ｆ１６を介して記録媒体１７から取得した画像データを表示制御回路２７へ出力する。これにより、記録媒体１７に記録された画像データの内容が表示装置１５の画面に表示される。
【００８０】
ところで、本実施形態のデジタルカメラは、上記のようにして撮影した動画や静止画の画像データを含む各種のデータを外部の装置との間で転送する機能を有している。
【００８１】
以下では、本実施形態のデジタルカメラが行うデータ転送の動作について説明する。
【００８２】
先ず、デジタルカメラのデータ送信の動作を、図２の流れ図を参照して説明する。図２の流れ図の処理は、例えば、モードダイヤルの操作によってデータ転送モードのうちのデータ送信モードが選択された場合などに実行されるものである。
【００８３】
ステップ１０１（Ｓ１０１）：制御回路１１は、センサ部１９を駆動して、タッチセンサへの接触が検出されたか否かを判定する。そして、制御回路１１によって、タッチセンサへの接触が検出されたと判定された場合にはステップ１０２へ移行し、一方、接触が検出されないと判定された場合にはステップ１０７へ移行する。
【００８４】
ステップ１０２：制御回路１１は、センサ部１９を介してタッチセンサから出力される接触箇所を示す情報を取得する。そして、制御回路１１は、取得した接触箇所を示す情報に基づきユーザーのデジタルカメラの持ち方のパターンを判別する。
【００８５】
ここで、その判別方法を具体的に説明する。
【００８６】
例えば、図３の（１）に示すように、デジタルカメラの側面にはタッチセンサが３つ設けられているとする。そして、ユーザが上段の「ｘ」と図示したタッチセンサに接触した場合には、タッチセンサから「ｘ」との接触箇所を示す情報が出力されるとする。また、ユーザが、中段の「ｙ」と図示したタッチセンサに接触すると「ｙ」との接触箇所を示す情報がタッチセンサから出力され、下段の「ｚ」と図示したタッチセンサに接触すると「ｚ」との接触箇所を示す情報がタッチセンサから出力されるとする。
【００８７】
この場合、タッチセンサから出力される接触箇所を示す情報の組み合わせのパターンには、「ｘ」，「ｙ」，「ｚ」，「ｘ＋ｙ」，「ｘ＋ｚ」，「ｙ＋ｚ」，「ｘ＋ｙ＋ｚ」との７通りが存在する。
【００８８】
つまり、これらのパターンを判別することにより、ユーザーがデジタルカメラを持ったときのタッチセンサへの接触の仕方、即ち、ユーザーのデジタルカメラの持ち方のパターンを判別することができる。
【００８９】
ステップ１０３：制御回路１１は、判別したデジタルカメラの持ち方のパターンに基づき、通信相手となる外部の装置へ送信すべきデータを判別する。
【００９０】
ここで、本実施形態のデジタルカメラでは、ユーザーのデジタルカメラの持ち方のパターン毎に、通信相手の装置に対して送信すべきデータの種類や条件を設定することができる。図３の（２）に、ユーザーのデジタルカメラの持ち方のパターンが７通り（「Ａ」〜「Ｇ」）存在する場合の設定例を示す。なお、パターン「Ａ」〜「Ｇ」は、上述したタッチセンサから出力される接触箇所を示す情報の組み合わせのパターン「ｘ」〜「ｘ＋ｙ＋ｚ」にそれぞれ対応する。
【００９１】
図３の（２ａ）は、ユーザーのデジタルカメラの持ち方のパターン毎に、通信相手の装置に対して転送（ここでは送信）すべきデータの種類を設定したテーブルの例である。この例では、タッチセンサから出力される接触箇所を示す情報の組み合わせのパターンが「ｘ＋ｙ」の場合、つまり、ユーザーのデジタルカメラの持ち方のパターンが「Ｄ」の場合には、「動画像」データを送信すべきデータとするように設定されている。
【００９２】
また、図３の（２ｂ）は、ユーザーのデジタルカメラの持ち方のパターン毎に、通信相手の装置に対して転送（ここでは送信）すべきデータの条件を設定したテーブルの例である。この例では、ユーザーのデジタルカメラの持ち方のパターンが「Ａ」の場合には、例えば撮影日などの「日付」が「２００８年９月１９日」である静止画像データなどを送信すべきデータとするように設定されている。また、パターンが「Ｄ」の場合には、例えば「男性の声」が記録された音声データなどを、パターンが「Ｆ」の場合には、例えばサッカーなどの「スポーツ」が記録された動画像データなどを送信すべきデータとするように設定されている。さらに、パターンが「Ｆ」の場合には、パターン「Ａ」〜「Ｅ」に対して設定された条件に該当しない「その他」のデータを送信すべきデータとするように設定されている。
【００９３】
なお、このような設定は、例えば、ユーザーが、設定用のＧＵＩ画面などを介して予め行うことができる。
【００９４】
制御回路１１は、このようなテーブルの設定情報を参照して、ユーザーのデジタルカメラの持ち方のパターンに対応した送信すべきデータを判別する。具体的には、送信すべきデータの種類または送信すべきデータの条件を判別する。
【００９５】
ステップ１０４：制御回路１１は、記録Ｉ／Ｆ１６を介し、記録媒体１７に記録された各種のデータから送信すべきデータの種類または条件に一致するものを取得する。なお、一致するか否かの判断は、例えば、データを格納するファイルの形式がＥｘｉｆファイル形式であれば、そのメーカーノート（ＭａｋｅｒＮｏｔｅ）タグなどの記録情報を参照して行うようにするとよい。
【００９６】
そして、制御回路１１は、取得した送信すべきデータを、無線通信部１８を介して通信相手の装置へ送信する。
【００９７】
ステップ１０５：制御回路１１は、次のデータ送信の開始が指示されたか否かを判定する。なお、その開始の指示は、ユーザーが、例えば、操作部材１４に含まれる転送開始ボタンなどを押下することなどによって行える。
【００９８】
制御回路１１によって、次のデータ送信の開始が指示されたと判定された場合には、ステップ１０１へ移行して上記の処理を繰り返す。一方、制御回路１１によって、次のデータ送信の開始が指示されないと判定された場合には、ステップ１０６へ移行する。
【００９９】
ステップ１０６：制御回路１１は、データ送信モードの終了が指示されたか否かを判定する。なお、その終了の指示は、ユーザーが、例えば、モードダイヤルの操作によってデータ送信モード以外のモードを選択することなどによって行える。
【０１００】
制御回路１１によって、データ送信モードの終了が指示されないと判定された場合にはステップ１０５へ移行し、一方、終了が指示されたと判定された場合には図２の流れ図の処理を終了する。
【０１０１】
ステップ１０７：制御回路１１によって、データ送信モードの終了が指示されたか否かを判定する。そして、制御回路１１は、データ送信モードの終了が指示されないと判定された場合にはステップ１０１へ移行し、一方、終了が指示されたと判定された場合には図２の流れ図の処理を終了する。
【０１０２】
次に、デジタルカメラのデータ受信の動作を、図４の流れ図を参照して説明する。図４の流れ図の処理は、例えば、モードダイヤルの操作によってデータ転送モードのうちのデータ受信モードが選択された場合などに実行されるものである。
【０１０３】
ステップ２０１（Ｓ２０１）：制御回路１１は、センサ部１９を駆動して、タッチセンサへの接触が検出されたか否かを判定する。そして、制御回路１１によって、タッチセンサへの接触が検出されたと判定された場合にはステップ２０２へ移行し、一方、接触が検出されないと判定された場合にはステップ２０９へ移行する。
【０１０４】
ステップ２０２：制御回路１１は、センサ部１９を介してタッチセンサから出力される接触箇所を示す情報を取得する。そして、制御回路１１は、取得した接触箇所を示す情報に基づきユーザーのデジタルカメラの持ち方のパターンを判別する。
【０１０５】
ステップ２０３：制御回路１１は、判別したデジタルカメラの持ち方のパターンに基づき、通信相手となる外部の装置から受信すべきデータを判別する。具体的には、受信すべきデータの種類または受信すべきデータの条件を判別する。
【０１０６】
ステップ２０４：制御回路１１は、受信すべきデータの送信、具体的には、判別した受信すべきデータの種類または条件に一致するデータの送信を要求するメッセージを無線通信部１８を介して通信相手の装置へ送信する。
【０１０７】
なお、通信相手の装置は、上記のデータ送信を要求するメッセージに基づいて送信すべきデータを送信する構成である。
【０１０８】
ステップ２０５：制御回路１１は、無線通信部１８を介して、通信相手の装置から送信されるデータを受信する。
【０１０９】
ステップ２０６：制御回路１１は、受信したデータを、記録Ｉ／Ｆ１６を介して記録媒体１７へ記録する。
【０１１０】
ステップ２０７：制御回路１１は、次のデータ受信の開始が指示されたか否かを判定する。なお、その開始の指示は、ユーザーが、例えば、操作部材１４に含まれる転送開始ボタンなどを押下することなどによって行える。
【０１１１】
制御回路１１は、次のデータ受信の開始が指示された場合には、ステップ２０１へ移行して上記の処理を繰り返す。一方、制御回路１１は、次のデータ受信の開始が指示されない場合には、ステップ２０８へ移行する。
【０１１２】
ステップ２０８：制御回路１１は、データ受信モードの終了が指示されたか否かを判定する。なお、その終了の指示は、ユーザーが、例えば、モードダイヤルの操作によってデータ受信モード以外のモードを選択することなどによって行える。
【０１１３】
制御回路１１によって、データ受信モードの終了が指示されないと判定された場合にはステップ２０７へ移行し、一方、終了が指示されたと判定された場合には図４の流れ図の処理を終了する。
【０１１４】
ステップ２０９：制御回路１１は、データ受信モードの終了が指示されたか否かを判定する。そして、制御回路１１によって、データ受信モードの終了が指示されないと判定された場合にはステップ２０１へ移行し、一方、終了が指示されたと判定された場合には図４の流れ図の処理を終了する。
【０１１５】
なお、上記では、デジタルカメラの側面にタッチセンサが３つ（複数）設けられる場合の例を図３の（１）を用いて説明した。この場合、各タッチセンサは、接触箇所を１箇所だけ検出できるセンサである。しかし、デジタルカメラには、単体で、接触箇所を２箇所以上検出（マルチタッチ検出）することが可能なタッチセンサを使用することもできる。但し、そうした場合は、タッチセンサから出力される接触箇所を示す位置座標情報によりユーザーが接触した箇所、例えば、図３の（１）での「ｘ」、「ｙ」、「ｚ」を判別するようにする。
【０１１６】
（第２実施形態）
以下、本発明の第２実施形態を説明する。第２実施形態も、デジタルカメラの実施形態である。なお、以下の説明では、第１実施形態と共通するデジタルカメラの構成要素については同一符号を付して重複説明を省略する。
【０１１７】
第１実施形態のデジタルカメラでは、データ転送動作において、センサ部１９のタッチセンサから出力される接触箇所を示す情報に基づき、ユーザーがデジタルカメラを持ったときのタッチセンサへの接触の仕方、即ち、ユーザーのデジタルカメラの持ち方のパターンを判別する。しかし、第２実施形態のデジタルカメラでは、センサ部１９に含まれる傾斜センサから出力されるカメラの傾き方を示す傾斜角度情報に基づき、ユーザーのデジタルカメラの持ち方のパターンを判別する。
【０１１８】
以下、本実施形態のデジタルカメラが行うデータ転送の動作について説明する。
【０１１９】
先ず、デジタルカメラのデータ送信の動作を、図５の流れ図を参照して説明する。図５の流れ図の処理は、例えば、モードダイヤルの操作によってデータ転送モードのうちのデータ送信モードが選択された場合などに実行されるものである。
【０１２０】
ステップ３０１（Ｓ３０１）：制御回路１１は、データ送信の開始が指示されたか否かを判定する。なお、その開始の指示は、ユーザーが、例えば、操作部材１４に含まれる転送開始ボタンなどを押下することなどによって行える。
【０１２１】
制御回路１１によって、データ送信の開始が指示されたと判定された場合にはステップ３０２へ移行し、一方、データ送信の開始が指示されないと判定された場合にはステップ３０５へ移行する。
【０１２２】
ステップ３０２：制御回路１１は、センサ部１９を駆動すると共に、センサ部１９を介して傾斜センサから出力されるカメラの傾き方を示す傾斜角度情報に基づき、例えば図６に示すように、ユーザーのデジタルカメラの持ち方のパターンを判別する。
【０１２３】
ステップ３０３：制御回路１１は、判別したデジタルカメラの持ち方のパターンに基づき、通信相手となる外部の装置へ送信すべきデータを判別する。具体的には、送信すべきデータの種類または送信すべきデータの条件を判別する。なお、この判別は、第１実施形態と同様の方法によって行われる。
【０１２４】
ステップ３０４：制御回路１１は、記録Ｉ／Ｆ１６を介し、記録媒体１７に記録された各種のデータから送信すべきデータの種類または条件に一致するものを取得する。なお、一致するか否かの判断は、例えば、データを格納するファイルの形式がＥｘｉｆファイル形式であれば、そのメーカーノート（ＭａｋｅｒＮｏｔｅ）タグなどの記録情報を参照して行うようにするとよい。
【０１２５】
制御回路１１は、取得した送信すべきデータを、無線通信部１８を介して通信相手の装置へ送信する。
【０１２６】
送信が完了すると、ステップ３０１へ移行して、制御回路１１は上記の処理を繰り返す。
【０１２７】
ステップ３０５：制御回路１１は、データ送信モードの終了が指示されたか否かを判定する。なお、その終了の指示は、ユーザーが、例えば、モードダイヤルの操作によってデータ送信モード以外のモードを選択することなどによって行える。
【０１２８】
制御回路１１によって、データ送信モードの終了が指示されないと判定された場合にはステップ３０１へ移行し、一方、終了が指示されたと判定された場合には図５の流れ図の処理を終了する。
【０１２９】
次に、デジタルカメラのデータ受信の動作を、図７の流れ図を参照して説明する。図７の流れ図の処理は、例えば、モードダイヤルの操作によってデータ転送モードのうちのデータ受信モードが選択された場合などに実行されるものである。
【０１３０】
ステップ４０１（Ｓ４０１）：制御回路１１は、データ受信の開始が指示されたか否かを判定する。なお、その開始の指示は、ユーザーが、例えば、操作部材１４に含まれる転送開始ボタンなどを押下することなどによって行える。
【０１３１】
制御回路１１によって、データ受信の開始が指示されたと判定された場合にはステップ４０２へ移行し、一方、データ受信の開始が指示されないと判定された場合にはステップ４０７へ移行する。
【０１３２】
ステップ４０２：制御回路１１は、センサ部１９を駆動すると共に、センサ部１９を介して傾斜センサから出力されるカメラの傾き方を示す傾斜角度情報に基づき、ユーザーのデジタルカメラの持ち方のパターンを判別する。
【０１３３】
ステップ４０３：制御回路１１は、判別したデジタルカメラの持ち方のパターンに基づき、通信相手となる外部の装置から受信すべきデータを判別する。具体的には、受信すべきデータの種類または受信すべきデータの条件を判別する。なお、この判別は、第１実施形態と同様の方法によって行われる。
【０１３４】
ステップ４０４：制御回路１１は、受信すべきデータの送信、具体的には、判別した受信すべきデータの種類または条件に一致するデータの送信を要求するメッセージを無線通信部１８を介して通信相手の装置へ送信する。
【０１３５】
なお、通信相手の装置は、上記のデータ送信を要求するメッセージに基づいて送信すべきデータを送信する構成である。
【０１３６】
ステップ４０５：制御回路１１は、無線通信部１８を介して、通信相手の装置から送信されるデータを受信する。
【０１３７】
ステップ４０６：制御回路１１は、受信したデータを、記録Ｉ／Ｆ１６を介して記録媒体１７へ記録する。
【０１３８】
記録が完了すると、ステップ４０１へ移行して、制御回路１１は上記の処理を繰り返す。
【０１３９】
ステップ４０７：制御回路１１は、データ受信モードの終了が指示されたか否かを判定する。なお、その終了の指示は、ユーザーが、例えば、モードダイヤルの操作によってデータ受信モード以外のモードを選択することなどによって行える。
【０１４０】
制御回路１１によって、データ受信モードの終了が指示されないと判定された場合にはステップ４０１へ移行し、一方、終了が指示されたと判定された場合には図７の流れ図の処理を終了する。
【０１４１】
（第３実施形態）
以下、本発明の第３実施形態を説明する。第３実施形態も、デジタルカメラの実施形態である。なお、以下の説明では、第１実施形態と共通するデジタルカメラの構成要素については同一符号を付して重複説明を省略する。
【０１４２】
第１実施形態のデジタルカメラでは、データ転送動作において、センサ部１９のタッチセンサから出力される接触箇所を示す情報に基づき、ユーザーのデジタルカメラの持ち方のパターンを判別する。しかし、第３実施形態のデジタルカメラでは、無線通信部１８に含まれる複数の内蔵型アンテナ（以下、単に、アンテナと呼ぶ。）から電波を受信したアンテナを特定するためのアンテナ識別情報に基づき、ユーザーのデジタルカメラの持ち方のパターンを判別する。つまり、第３実施形態のデジタルカメラでは、アンテナを、ユーザーのデジタルカメラの持ち方を検出するためのセンサとして利用する。
【０１４３】
以下、本実施形態のデジタルカメラが行うデータ転送の動作について説明する。
【０１４４】
先ず、デジタルカメラのデータ送信の動作を、図８流れ図を参照して説明する。図８の流れ図の処理は、例えば、モードダイヤルの操作によってデータ転送モードのうちのデータ送信モードが選択された場合などに実行されるものである。
【０１４５】
ステップ５０１（Ｓ５０１）：制御回路１１は、無線通信部１８を駆動して、無線通信部１８に含まれる複数のアンテナのうち何れかが電波を受信したか否かを判定する。そして、制御回路１１によって、何れかのアンテナが電波を受信したと判定された場合にはステップ５０２へ移行し、一方、何れも電波を受信しないと判定された場合にはステップ５０７へ移行する。
【０１４６】
ステップ５０２：制御回路１１は、電波を受信したアンテナを特定するためのアンテナ識別情報を無線通信部１８から取得する。そして、制御回路１１は、取得したアンテナ識別情報に基づきユーザーのデジタルカメラの持ち方のパターンを判別する。
【０１４７】
具体的には、例えば、図９に示すように、デジタルカメラの無線通信部１８にはアンテナ（α）、アンテナ（β）、アンテナ（γ）の３つのアンテナが含まれているとする。また、アンテナ（α）とアンテナ（γ）はデジタルカメラの側面部分に内蔵され、アンテナ（β）は底面部分に内蔵されるとする。そして、それらのうちアンテナ（α）が電波を受信した場合には、制御回路１１は、無線通信部１８から取得されるアンテナ識別情報「α」に基づき、ユーザーのデジタルカメラの持ち方のパターンは「Ａ」であると判断する。また、アンテナ（β）が電波を受信した場合には、制御回路１１は、無線通信部１８から取得されるアンテナ識別情報「β」に基づき、ユーザーのデジタルカメラの持ち方のパターンは「Ｂ」であると判断する。
【０１４８】
ステップ５０３：制御回路１１は、判別したデジタルカメラの持ち方のパターンに基づき、通信相手となる外部の装置へ送信すべきデータを判別する。具体的には、送信すべきデータの種類または送信すべきデータの条件を判別する。なお、この判別は、第１実施形態と同様の方法によって行われる。
【０１４９】
ステップ５０４：制御回路１１は、記録Ｉ／Ｆ１６を介し、記録媒体１７に記録された各種のデータから送信すべきデータの種類または条件に一致するものを取得する。なお、一致するか否かの判断は、例えば、データを格納するファイルの形式がＥｘｉｆファイル形式であれば、そのメーカーノート（ＭａｋｅｒＮｏｔｅ）タグなどの記録情報を参照して行うようにするとよい。
【０１５０】
そして、制御回路１１は、取得した送信すべきデータを、無線通信部１８を介して通信相手の装置へ送信する。このとき、送信すべきデータは、上記ステップ５０２で取得したアンテナ識別情報によって示されるアンテナを介して通信相手の装置へ送信される。
【０１５１】
ステップ５０５：制御回路１１は、次のデータ送信の開始が指示されたか否かを判定する。なお、その開始の指示は、ユーザーが、例えば、操作部材１４に含まれる転送開始ボタンなどを押下することなどによって行える。
【０１５２】
制御回路１１によって、次のデータ送信の開始が指示されたと判定された場合には、ステップ５０１へ移行して上記の処理を繰り返す。一方、制御回路１１によって、次のデータ送信の開始が指示されないと判定された場合には、ステップ５０６へ移行する。
【０１５３】
ステップ５０６：制御回路１１は、データ送信モードの終了が指示されたか否かを判定する。なお、その終了の指示は、ユーザーが、例えば、モードダイヤルの操作によってデータ送信モード以外のモードを選択することなどによって行える。
【０１５４】
制御回路１１によって、データ送信モードの終了が指示されないと判定された場合にはステップ５０５へ移行し、一方、終了が指示されたと判定された場合には図８の流れ図の処理を終了する。
【０１５５】
ステップ５０７：制御回路１１は、データ送信モードの終了が指示されたか否かを判定する。そして、制御回路１１によって、データ送信モードの終了が指示されないと判定された場合にはステップ５０１へ移行し、一方、終了が指示されたと判定された場合には図８の流れ図の処理を終了する。
【０１５６】
次に、デジタルカメラのデータ受信の動作を、図１０の流れ図を参照して説明する。図１０の流れ図の処理は、例えば、モードダイヤルの操作によってデータ転送モードのうちのデータ受信モードが選択された場合などに実行されるものである。
【０１５７】
ステップ６０１（Ｓ６０１）：制御回路１１は、無線通信部１８を駆動して、無線通信部１８に含まれる複数のアンテナのうち何れかが電波を受信したか否かを判定する。そして、制御回路１１によって、何れかのアンテナが電波を受信したと判定された場合にはステップ６０２へ移行し、一方、何れも電波を受信しないと判定された場合にはステップ６０９へ移行する。
【０１５８】
ステップ６０２：制御回路１１は、電波を受信したアンテナを特定するためのアンテナ識別情報を無線通信部１８から取得する。そして、制御回路１１は、取得したアンテナ識別情報に基づきユーザーのデジタルカメラの持ち方のパターンを判別する。
【０１５９】
ステップ６０３：制御回路１１は、判別したデジタルカメラの持ち方のパターンに基づき、通信相手となる外部の装置から受信すべきデータを判別する。具体的には、受信すべきデータの種類または受信すべきデータの条件を判別する。なお、この判別は、第１実施形態と同様の方法によって行われる。
【０１６０】
ステップ６０４：制御回路１１は、受信すべきデータの送信、具体的には、判別した受信すべきデータの種類または条件に一致するデータの送信を要求するメッセージを無線通信部１８を介して通信相手の装置へ送信する。このとき、メッセージは、上記ステップ６０２で取得したアンテナ識別情報によって示されるアンテナを介して通信相手の装置へ送信される。
【０１６１】
なお、通信相手の装置は、上記のデータ送信を要求するメッセージに基づいて送信すべきデータを送信する構成である。
【０１６２】
ステップ６０５：制御回路１１は、無線通信部１８を介して、通信相手の装置から送信されるデータを受信する。このとき、データは、上記ステップ６０２で取得したアンテナ識別情報によって示されるアンテナを介して受信される。
【０１６３】
ステップ６０６：制御回路１１は、受信したデータを、記録Ｉ／Ｆ１６を介して記録媒体１７へ記録する。
【０１６４】
ステップ６０７：制御回路１１は、次のデータ受信の開始が指示されたか否かを判定する。なお、その開始の指示は、ユーザーが、例えば、操作部材１４に含まれる転送開始ボタンなどを押下することなどによって行える。
【０１６５】
制御回路１１によって、次のデータ受信の開始が指示されたと判定された場合には、ステップ６０１へ移行して上記の処理を繰り返す。一方、制御回路１１によって、次のデータ受信の開始が指示されないと判定された場合には、ステップ６０８へ移行する。
【０１６６】
ステップ６０８：制御回路１１は、データ受信モードの終了が指示されたか否かを判定する。なお、その終了の指示は、ユーザーが、例えば、モードダイヤルの操作によってデータ受信モード以外のモードを選択することなどによって行える。
【０１６７】
制御回路１１によって、データ受信モードの終了が指示されないと判定された場合にはステップ６０７へ移行し、一方、終了が指示されたと判定された場合には図１０の流れ図の処理を終了する。
【０１６８】
ステップ６０９：制御回路１１は、データ受信モードの終了が指示されたか否かを判定する。そして、制御回路１１によって、データ受信モードの終了が指示されないと判定された場合にはステップ６０１へ移行し、一方、終了が指示されたと判定された場合には図１０の流れ図の処理を終了する。
【０１６９】
（実施形態の補足事項）
なお、デジタルカメラに設定可能な転送すべきデータの条件として、図３の（２ｂ）に、その代表的なものを例示したが、それら以外にも、例えば、夜景や逆光などといった特定のシーンモード、また特定の撮影条件などを転送すべきデータの条件として設定してもよい。
【０１７０】
また、データ（又は、データを格納したファイル）がグループ分けされている場合には、そのうちの特定のグループを、転送すべきデータの種類または条件として設定してもよい。
【０１７１】
また、上記では、ユーザーのデジタルカメラの持ち方を検出するために、タッチセンサ、傾斜センサ、アンテナを利用したが、これらの他に、例えば、光センサや温度センサなども利用することができる。なお、そうした場合は、光センサから出力される受光の有無（或いは受光量の増減）の情報または温度センサから出力される温度情報に基づき、ユーザーのデジタルカメラの持ち方を検出してそのパターンを判別するようにする。ユーザーの手や指がセンサに接触するとセンサから出力される情報が変化するので、その変化を調べることで、ユーザーがデジタルカメラを持ったときのセンサへの接触の仕方、即ち、ユーザーのデジタルカメラの持ち方のパターンを判別することができる。
【０１７２】
また、上記では、タッチセンサ、傾斜センサ、アンテナを利用して、ユーザーのデジタルカメラの持ち方を検出したが、それらを利用してデジタルカメラの載置状態を検出してもよい。なお、載置状態とは、デジタルカメラが、例えば、画像サーバーなどの上面にどのような姿勢で置かれているかを示すものである。図６を例に取ると、画像サーバーの上面に、デジタルカメラが、傾斜角度情報：「９０度」の姿勢で置かれている状態、傾斜角度情報：「０度」の姿勢で置かれている状態、などの載置状態のパターンが存在する。このデジタルカメラの載置状態のパターンを、傾斜センサの傾斜角度情報や電波を受信したアンテナの識別情報に基づき判別するようにし、そして、そのパターンに基づいて転送すべきデータ（具体的には、転送すべきデータの種類または条件）を判別する。
【０１７３】
なお、デジタルカメラの載置状態の検出にタッチセンサを利用する場合は、タッチセンサを、例えば、図９に示すアンテナ（α）、アンテナ（β）、アンテナ（γ）と同様の位置にそれぞれ設けるようにする。ここでは、特に、感圧方式のタッチセンサを利用すると好ましい。そして、デジタルカメラが、画像サーバーの上面に載置されたときには、画像サーバーと接触するタッチセンサから出力される接触箇所を示す情報に基づき、デジタルカメラの載置状態を検出してそのパターンを判別するようにする。
【０１７４】
また、デジタルカメラの載置状態の検出には光センサを利用することもできる。
【０１７５】
また、上記では、通信相手となる外部の装置との通信を無線によって行うように説明したが、通信は、有線のＬＡＮなどを介して行うようにしてもよい。
【０１７６】
（実施形態の作用効果）
上記実施形態のデジタルカメラでは、カメラに設けられたセンサから得られた情報に基づき、ユーザーによるデジタルカメラの持ち方またはデジタルカメラの載置状態が検出されて、そのパターンが判別される。
【０１７７】
次に、その判別されたパターンに基づき、転送すべきデータの種類または条件が判別される。なお、その判別は、転送すべきデータの種類または転送すべきデータの条件がパターン毎に設定されたテーブルを使用して行われる。また、テーブルの設定は、予めユーザーによって行われる。
【０１７８】
そして、転送すべきデータの種類または条件に一致するデータが通信相手の装置との間で転送される。
【０１７９】
従って、上記実施形態のデジタルカメラによれば、ユーザーが所望するデータを、手間なく、簡単に、通信相手装置との間で転送することができる。
【０１８０】
（その他）
本発明は、デジタルカメラ以外にも、電子フォトフレーム、ノート型パソコン、携帯電話機、携帯情報端末（ＰＤＡ）、ミュージック／ビデオプレーヤなどのポータブル型の装置／機器にも適用可能である。
【０１８１】
また、本発明は、テレビ、ハードディスクレコーダ、ＤＶＤレコーダ、画像サーバーなどの装置／機器にも適用可能である。特に、これらの装置／機器には、本発明のデータ受信装置の適用が好適である。
【図面の簡単な説明】
【０１８２】
【図１】本発明の第１実施形態のデジタルカメラの構成を示すブロック図である。
【図２】第１実施形態のデジタルカメラのデータ送信の動作を示す流れ図である。
【図３】持ち方のパターン及び送信すべきデータの判別方法を説明する図（タッチセンサの場合）である。
【図４】第１実施形態のデジタルカメラのデータ受信の動作を示す流れ図である。
【図５】第２実施形態のデジタルカメラのデータ送信の動作を示す流れ図である。
【図６】持ち方のパターン及び送信すべきデータの判別方法を説明する図（傾斜センサの場合）である。
【図７】第２実施形態のデジタルカメラのデータ受信の動作を示す流れ図である。
【図８】第３実施形態のデジタルカメラのデータ送信の動作を示す流れ図である。
【図９】持ち方のパターン及び送信すべきデータの判別方法を説明する図（アンテナの場合）である。
【図１０】第３実施形態のデジタルカメラのデータ受信の動作を示す流れ図である。
【符号の説明】
【０１８３】
１１…制御回路，１２…バッファメモリ，１３…バス，１４…操作部材，１５…表示装置，１６…記録インターフェース（Ｉ／Ｆ），１７…記録媒体，１８…無線通信部，１９…センサ部，２０…ＣＣＤ固体撮像素子（ＣＣＤ），２１…レンズユニット，２２…レンズ駆動回路，２３…タイミングジェネレータ（ＴＧ），２４…信号処理回路，２５…画像入力回路，２６…画像処理回路，２７…表示制御回路，２８…ＡＥ／ＡＷＢ回路，２９…ＡＦ回路，３０…圧縮／伸張回路，３１…マイク，３２…Ａ／Ｄ変換器，３３…音声信号処理回路
【図１】
2010130449.tif 000003
【図２】
2010130449.tif 000004
【図３】
2010130449.tif 000005
【図４】
2010130449.tif 000006
【図５】
2010130449.tif 000007
【図６】
2010130449.tif 000008
【図７】
2010130449.tif 000009
【図８】
2010130449.tif 000010
【図９】
2010130449.tif 000011
【図１０】
2010130449.tif 000012